(57)【要約】【課題】建物の開口部において遮蔽対象の通し方に高い自由度を持たせることができる仕切り装置を提供する。【解決手段】建物の開口部１０８に設置される仕切り装置１０であって、開口部１０８を開閉可能な遮光性をもつ第１開閉層１２と、開口部１０８を開閉可能な遮光性をもつ第２開閉層１４と、を備え、第１開閉層１２は、連続的に開度を変化させることで、開口部１０８において複数種類の遮蔽対象を遮る度合いを調整可能であり、第２開閉層１４は、開口部１０８を閉じた状態にするとき、複数種類の遮蔽対象のうちの所定の遮蔽対象を遮る。【選択図】図４
2017066704.tif 000002
【特許請求の範囲】
【請求項１】
建物の開口部に設置される仕切り装置であって、
前記開口部を開閉可能な遮光性をもつ第１開閉層と、
前記開口部を開閉可能な遮光性をもつ第２開閉層と、を備え、
前記第１開閉層は、連続的に開度を変化させることで、複数種類の遮蔽対象を遮る度合いを調整可能であり、
前記第２開閉層は、前記複数種類の遮蔽対象のうちの所定の第１遮蔽対象を遮ることを特徴とする仕切り装置。
【請求項２】
前記第１開閉層は複数の第１開閉部材を備え、前記複数の第１開閉部材の間隔を変化させることで連続的に開度を変化させるとともに、前記複数の第１開閉部材が移動することにより前記開口部を使用者が歩行通過可能に開くことを特徴とする請求項１に記載の仕切り装置。
【請求項３】
前記第１開閉層は、膨張及び収縮することで前記開口部を開閉する第１開閉部材を備えることを特徴とする請求項１または２に記載の仕切り装置。
【請求項４】
前記第１開閉層は、前記開口部を閉じた状態にするとき、前記開口部を奥行方向に仕切る半透明部を有し、
前記半透明部を照射する光源を更に備えることを特徴とする請求項１から３のいずれかに記載の仕切り装置。
【請求項５】
前記第２開閉層は、前記複数種類の遮蔽対象のうちの所定の第２遮蔽対象を通すことを特徴とする請求項１から４のいずれかに記載の仕切り装置。
【請求項６】
前記第２開閉層は、前記第１遮蔽対象として赤外線を遮るための遮蔽層と、風を通すための複数の小孔とを有することを特徴とする請求項１から５のいずれかに記載の仕切り装置。
【請求項７】
前記遮蔽対象に関する物理量を検出するセンサと、
前記センサの検出結果に基づいて前記第１開閉層又は前記第２開閉層の開度を調整する制御部と、を備えることを請求項１から６のいずれかに記載の仕切り装置。
【発明の詳細な説明】
【技術分野】
【０００１】
本発明は、建物の開口部に設置される仕切り装置に関する。
【背景技術】
【０００２】
建物の開口部には窓ガラスやドアが仕切り装置として設置される（特許文献１参照）。この種の仕切り装置には、通常、断熱性や気密性が求められており、建物の屋外空間に対して屋内空間を閉じた状態にするための工夫がされている。
【先行技術文献】
【特許文献】
【０００３】
【特許文献１】特開２００５−１０５５２７号公報
【発明の概要】
【発明が解決しようとする課題】
【０００４】
ところで、我々の暮らしは、住宅内にいる家族の他に、住宅外にいる周囲の人々との関係のうえに成り立っている。このような住宅外にいる周囲の人々との交流を活発にし、周囲の人々との関係をよりよいものとするうえでは、建物の屋外空間に対して屋内空間を開いた状態にし易くできるような環境が要求される。
【０００５】
このような観点のもとで検討すると、従来の仕切り装置では遮蔽対象の通し方に自由度がない。たとえば、ドアの場合、建物の開口部において、ドアを開閉することで遮蔽対象を通すか遮るかの何れかの選択しかできない。よって、建物の屋外空間に対して屋内空間を大きく開くことに抵抗がある人にとっては、屋外空間に対して屋内空間を閉じるという選択しかとることができず、前述の要求に沿わないという問題があった。
【０００６】
本発明は、このような課題に鑑みてなされ、その目的は、建物の開口部において遮蔽対象の通し方に高い自由度を持たせることができる仕切り装置を提供することにある。
【課題を解決するための手段】
【０００７】
上記課題を解決するための本発明のある態様は仕切り装置である。
仕切り装置は、建物の開口部に設置される仕切り装置であって、前記開口部を開閉可能な遮光性をもつ第１開閉層と、前記開口部を開閉可能な遮光性をもつ第２開閉層と、を備え、前記第１開閉層は、連続的に開度を変化させることで、前記開口部において複数種類の遮蔽対象を遮る度合いを調整可能であり、前記第２開閉層は、前記開口部を閉じた状態にするとき、前記複数種類の遮蔽対象のうちの所定の遮蔽対象を遮る。
【０００８】
これらの態様によれば、第１開閉層、第２開閉層を用いることで、使用者の好み、気分等に応じて、建物の開口部における遮蔽対象の通し方を様々に調整でき、遮蔽対象の通し方に高い自由度を持たせることができる。
【発明の効果】
【０００９】
本発明によれば、建物の開口部における遮蔽対象の出入りの仕方に高い自由度を持たせることができる。
【図面の簡単な説明】
【００１０】
【図１】第１実施形態に係る仕切り装置が設置される建物を模式的に示す図である。
【図２】図１の範囲Ｓａを斜め上側から見た図である。
【図３】第１実施形態に係る仕切り装置を模式的に示す斜視図である。
【図４】第１実施形態に係る仕切り装置の第１開閉部材が収縮した状態を模式的に示す平面図である。
【図５】第１実施形態に係る仕切り装置の第１開閉部材が膨張した状態を模式的に示す平面図である。
【図６】図４の第１開閉部材を拡大した平面図である。
【図７】第１実施形態に係る仕切り装置の正面図である。
【図８】図５の第１開閉部材を拡大した平面図である。
【図９】第１実施形態に係る第１開閉部材が収縮した状態にあるときの動作の例を示す図である。
【図１０】第１実施形態に係る第１開閉部材が収縮した状態にあるときの動作の他の例を示す図である。
【図１１】第１実施形態に係る複数の第１開閉部材が開度調整位置から移動した後の状態を示す正面図である。
【図１２】図１２（ａ）は第１実施形態に係る第２開閉部材の正面図であり、図１２（ｂ）は部分側面断面図である。
【図１３】図１３（ａ）は第１実施形態に係る第１開閉層、第２開閉層が全開状態にあるときを示し、図１３（ｂ）は第１開閉層が全閉状態にあり、第２開閉層が全開状態にあるときを示し、図１３（ｃ）は第１開閉層が全開状態にあり、第２開閉層が全閉状態にある時を示す図である。
【図１４】図１４（ａ）は第１実施形態に係る第１開閉層が全開状態にあるときの背面図であり、図１４（ｂ）は第１開閉層が半開状態にあるときの背面図であり、図１４（ｃ）は第１開閉層が全閉状態にあるときの背面図である。
【図１５】第２実施形態に係る仕切り装置を示す平面図である。
【図１６】図１５（ａ）は第３実施形態に係る第２開閉部材の正面図であり、図１５（ｂ）は第２開閉部材の部分側面断面図である。
【図１７】第４実施形態に係る仕切り装置の構成図である。
【発明を実施するための形態】
【００１１】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１２】
［第１の実施の形態］
図１は第１実施形態に係る仕切り装置１０が設置される建物１００を模式的に示す図である。図２は図１の範囲Ｓａを斜め上側から見た模式図である。
建物１００は集合住宅、戸建て住宅等の住宅である。建物１００は屋内空間１０２を区画するための複数の外壁部１０４を備える。複数の外壁部１０４のうちの一つの外壁部１０４は、建物１００の出入口１０６が形成されるファサードとなる。建物１００のファサードとなる外壁部１０４には、その外壁部１０４を正面から見て、出入口１０６に対して側方に開口部１０８（以下、建物開口部１０８という）が形成される。建物開口部１０８がある外壁部１０４は、本実施形態において、建物１００の複数の外壁部１０４のうち、道路１１０に面する外壁部１０４となる。以下、建物開口部１０８がある外壁部１０４を正面から見て、上下方向を方向Ｘ、左右方向を方向Ｙ、奥行方向を方向Ｚとして、各構成要素の位置関係を説明する。
【００１３】
仕切り装置１０は建物開口部１０８に設置される。仕切り装置１０は、建物開口部１０８に対して奥行方向Ｚ両側の空間を、第１空間としての屋内空間１０２と、第２空間としての屋外空間１１２とに仕切る。屋内空間１０２には、使用者が歩行するための第１歩行面となる床面１１４が建物開口部１０８に隣接する位置に設けられる。屋外空間１１２には、使用者が歩行するための第２歩行面となる地面１１６が建物開口部１０８に隣接する位置に設けられる。
【００１４】
建物開口部１０８は使用者が歩行通過可能な大きさ及び位置に形成される。ここでの「歩行通過可能」とは、屋内空間１０２又は屋外空間１１２の一方から他方に向かって使用者が歩行しながら通過可能なことを意味する。建物開口部１０８は、「歩行通過可能な大きさ」として、たとえば、上下寸法が１．０ｍ〜３．５ｍの範囲であって、左右寸法が１．０〜１０．０ｍの範囲に形成される。また、建物開口部１０８は、「歩行通過可能な位置」として、屋内空間１０２の床面１１４と屋外空間１１２の地面１１６との間に段差がない、又は、歩行しながら乗り越え可能な段差がある箇所に形成される。このような段差は、たとえば、５０ｃｍ以下の大きさである。
【００１５】
図３は仕切り装置１０を模式的に示す斜視図である。
仕切り装置１０は、建物開口部１０８を開閉可能な第１開閉層１２と、建物開口部１０８を開閉可能な第２開閉層１４を備える。第１開閉層１２及び第２開閉層１４は建物開口部１０８の奥行方向Ｚに間隔を空けて配置される。第１開閉層１２及び第２開閉層１４は窓ガラスのようなガラス層によっては構成されない。仕切り装置１０は、建物開口部１０８を開閉可能な層としてガラス層を含まないことを意味する。
【００１６】
第１開閉層１２は、連続的に第１開閉層１２の開度を変化させることで、建物開口部１０８において複数種類の遮蔽対象を遮る度合いを調整可能である。第１開閉層１２が遮る遮蔽対象には、少なくとも光が含まれる。第１開閉層１２は遮光性をもつことになる。また、第１開閉層１２が遮る遮蔽対象には、この他にも、音、風、視界等が含まれる。第１開閉層１２は遮音性や遮風性をもつことにもなる。ここでの視界とは、屋内空間１０２から見た屋内空間１０２の視認可能な範囲と、屋外空間１１２から見た屋内空間１０２の視認可能な範囲の両方が含まれる。
【００１７】
第２開閉層１４は、建物開口部１０８を閉じた状態にするとき、複数種類の遮蔽対象のうちの所定の第１遮蔽対象を遮るとともに、所定の第２遮蔽対象を通すものである。ここでの第１遮蔽対象とは可視光と赤外線を含む光であり、第２遮蔽対象とは風、音である。第２開閉層１４は遮光性をもつことになる。
【００１８】
図４は仕切り装置１０の第１開閉部材１６（後述する）が収縮した状態を模式的に示す平面図であり、図５は第１開閉部材１６が膨張した状態を模式的に示す平面図である。
仕切り装置１０は、さらに、第１開閉層１２の動作を制御するための制御部１８を備える。制御部１８は、マイクロコンピュータ等のＣＰＵ、ＲＯＭ、ＲＡＭ等の組み合わせにより構成される。
【００１９】
第１開閉層１２は複数の第１開閉部材１６を備える。複数の第１開閉部材１６は、建物開口部１０８内にて左右方向Ｙに並べて配置される。第１開閉部材１６は、詳細は後述するが、膨張及び収縮可能である。
【００２０】
図６は図４の第１開閉部材１６を拡大した平面図である。
第１開閉部材１６は、建物１００に支持される支持部材２０と、支持部材２０に取り付けられる二つの袋体２２と、二つの袋体２２のそれぞれに取り付けられる保護部材２４とを備える。
【００２１】
図７は仕切り装置１０の正面図である。
図６、図７に示すように、支持部材２０は、上下方向Ｘに沿って延びる長尺体である。建物開口部１０８には上下に対向する上側辺部及び下側辺部のそれぞれに第１レール２６が取り付けられる。支持部材２０は一対の第１レール２６に沿って左右方向Ｙにスライド可能に支持される。
【００２２】
支持部材２０の一端部となる上端部には回転モータ２８が取り付けられる。回転モータ２８は支持部材２０とともに一体に移動可能である。回転モータ２８の動作は制御部１８により制御される。第１開閉部材１６は、回転モータ２８の動力が支持部材２０に伝達されることにより、上下方向Ｘに沿った軸周りに回動可能である。第１開閉層１２は、後述するように、複数の第１開閉部材１６が回動することにより、第１開閉層１２の開度を連続的に変化させることができる。
【００２３】
支持部材２０は、空気通路が内部に形成される中空部３０を有する。支持部材２０の他端部となる下端部には支持部材２０の中空部３０内の空気を出し入れするためのエアポンプ３２が取り付けられる。エアポンプ３２は支持部材２０とともに一体に移動可能である。エアポンプ３２の動作は制御部１８により制御される。
【００２４】
袋体２２はナイロン等の可とう性をもつ素材により構成される。一つの袋体２２は支持部材２０の屋外空間１１２に面する箇所（図６の下側箇所）に取り付けられ、もう一つの袋体２２は支持部材２０の屋内空間１０２に面する箇所（図６の上側箇所）に取り付けられる。支持部材２０及び袋体２２には袋体２２と中空部３０とを連通する連通孔３４が形成され、連通孔３４には空気弁３６が設置される。空気弁３６の開閉は制御部１８により制御される。
【００２５】
図８は図５の第１開閉部材１６を拡大した平面図である。
空気弁３６を開いた状態で、エアポンプ３２から中空部３０内に空気を導入すると、中空部３０内から空気弁３６を通して袋体２２内に空気が導入され、袋体２２が膨張した状態となる（図８参照）。一方、空気弁３６を開いた状態で、エアポンプ３２から中空部３０内の空気を排出すると、袋体２２内から空気弁３６を通して中空部内３０に空気が排出され、袋体２２が収縮した状態となる（図６参照）。これらの動作は制御部１８による制御のもとで実行される。なお、エアポンプ３２により中空部３０内の空気を出し入れしないときは空気弁３６を閉じた状態にする。
【００２６】
保護部材２４は、図６、図８に示すように、金属等の硬質な素材により構成され、上下方向Ｚに沿って延びる板状を呈する。保護部材２４には、屋外側の袋体２２の屋外空間１１２に面する箇所に取り付けられる二つの屋外保護部材２４Ａ（第１保護部材）と、屋内側の袋体２２の屋内空間１０２に面する箇所に取り付けられる二つの屋内保護部材２４Ｂ（第２保護部材）とが含まれる。保護部材２４は、第１開閉部材１６の二つの袋体２２が収縮した状態にあるとき、支持部材２０や袋体２２を外側から取り囲むように配置され、これらを保護する機能をもつ。また、保護部材２４は、第１開閉部材１６の二つの袋体２２が膨張した状態にあるとき、支持部材２０や袋体２２に対して奥行方向Ｚの外側に配置され、これらを保護する機能をもつ。
【００２７】
保護部材２４及び支持部材２０には、二つの袋体２２が収縮した状態にあるとき、支持部材２０に対する保護部材２４の位置を保持するための磁石３８が取り付けられる。磁石３８には、二つの屋外保護部材２４Ａそれぞれの近接する位置にある幅方向の一端部に取り付けられる一対の第１磁石３８Ａと、二つの屋内保護部材２４Ｂそれぞれの近接する位置にある幅方向の一端部に取り付けられる一対の第２磁石３８Ｂとが含まれる。また、磁石３８には、各保護部材２４の幅方向の他端部と支持部材２０とに取り付けられる三つ一組の第３磁石３８Ｃが含まれる。一対の第１磁石３８Ａは異なる極性の磁石である。一対の第２磁石３８Ｂも異なる極性の磁石である。一組の第３磁石３８Ｃは、支持部材２０に取り付けたものと、他のものとが異なる極性の磁石である。
【００２８】
保護部材２４は、二つの袋体２２が収縮した状態にあるとき、異なる極性の第１磁石３８Ａ同士、第２磁石３８Ｂ同士、第３磁石３８Ｃ同士が磁気的に吸引することで、支持部材２０に対して位置決めされたうえで保持される。これにより、二つの袋体２２も支持部材２０に対して位置決めされたうえで保持される。
【００２９】
複数の第１開閉部材１６は、それぞれの袋体２２が膨張した状態にあるとき、隣り合う他の第１開閉部材１６の袋体２２や、建物開口部１０８の左右の横側辺部（図５参照）と接触する。これにより、複数の第１開閉部材１６は、建物開口部１０８全体を左右方向Ｙに横断するように配置され、建物開口部１０８を閉じた状態にする一体的な壁となる。また、複数の第１開閉部材１６は、袋体２２が収縮した状態であって、支持部材２０に対して保護部材２４が保持された状態にあるとき、建物開口部１０８を開いた状態にする。つまり、第１開閉層１２は、複数の第１開閉部材１６が膨張及び収縮することで、建物開口部１０８を開閉する。
【００３０】
図９は第１開閉部材１６が収縮した状態にあるときの動作の例を示す図であり、図１０はその動作の他の例を示す図である。
複数の第１開閉部材１６は、図４、図９、図１０に示すように、袋体２２が収縮した状態にあるとき、全体として板状を呈し、ルーバーの羽板として機能する。第１開閉層１２は、複数の第１開閉部材１６の回動により、複数の第１開閉部材１６の間隔を変化させることで、第１開閉層１２の開度を連続的に変化させることができる。第１開閉層１２の開度は全開状態から全閉状態の間で連続的に変化させることができる。たとえば、図４に示すように、複数の第１開閉部材１６が奥行方向Ｚに沿って延びるように配置される場合、隣り合う第１開閉部材１６の間隔が最も広がり、第１開閉層１２の開度は全開状態となる。また、図１０に示すように、複数の第１開閉部材１６が左右方向Ｙに沿って延びるように配置される場合、隣り合う第１開閉部材１６の間隔が最も狭まり、第１開閉層１２の開度は全閉状態となる。第１開閉層１２は、第１開閉層１２の開度が全閉状態にあるとき、建物開口部１０８を閉じた状態にする。
【００３１】
図１１は複数の第１開閉部材１６が開度調整位置（後述する）から移動した後の状態を示す正面図である。
複数の第１開閉部材１６は、図７、図１１に示すように、袋体２２が収縮した状態にあるとき、第１開閉層１２の開度を調整するための開度調整位置から移動可能である。これにより、複数の第１開閉部材１６は、建物開口部１０８を使用者が歩行通過可能に開いた状態にすることができる。この状態にあるとき、複数の第１開閉部材１６は、本実施形態において、左右方向Ｙに重ね合わせた状態で建物開口部１０８の左右方向Ｙの端部寄りの位置に配置される。なお、第１開閉層１２は、複数の第１開閉部材１６が開度調整位置にあるとき、建物開口部１０８を歩行通過不能な状態となる。
【００３２】
図１２（ａ）は第２開閉層１４の第２開閉部材４２（後述する）の正面図であり、図１２（ｂ）は第２開閉部材４２の部分側面断面図である。
第２開閉層１４は、図４、図１２に示すように、複数の第２開閉部材４２を備える。第２開閉部材４２は自立可能なパネル体である。建物開口部１０８には上下に対向する上側辺部及び下側辺部に一対の第２レール（不図示）が取り付けられる。第２開閉部材４２は一対の第２レールに沿ってスライド可能に支持される。
【００３３】
第２開閉層１４は、複数の第２開閉部材４２がスライドすることで、第２開閉層１４の開度を変化させることができる。第２開閉層１４の開度は全開状態から全閉状態の間で変化させることができる。第２開閉層１４の開度が全閉状態にあるとき、建物開口部１０８全体を横断するように複数の第２開閉部材４２が配置される（図４の実線の「４２」参照）。このとき、第２開閉層１４は建物開口部１０８を使用者が歩行通過不能に閉じた状態にする。また、第２開閉層１４の開度が全開状態にあるとき、第２開閉層１４は建物開口部１０８を使用者が歩行通過可能に開いた状態にする（図４の破線の「４２」参照）。この状態にあるとき、複数の第２開閉部材４２は奥行方向Ｚに重ね合わせた状態で配置される。また、この状態にあるとき、複数の第２開閉部材４２は建物開口部１０８の左右方向Ｙの端部に形成される収納部１１８内に収まるように配置される。
【００３４】
第２開閉部材４２は、図１２に示すように、ベースパネル４４と、ベースパネル４４の屋外空間１１２側の表面に設けられる遮蔽層４６とを備える。ベースパネル４４は、四周の枠体４８と、枠体４８の屋外空間１１２側の表面に取り付けられる面材５０とを備える。枠体４８は面材５０を自立可能に保持するためのものであり、面材５０は不織布、織布等の布を素材とする。遮蔽層４６は、アルミニウム等の赤外線の反射率に優れた金属を素材とする金属箔であり、金属素材の蒸着等により得られる。複数の第２開閉部材４２は、建物開口部１０８を閉じた状態にするとき、屋外空間１１２から屋内空間１０２に通過しようとする赤外線を遮蔽層４６により反射することで遮る。なお、複数の第２開閉部材４２の遮蔽層４６は、赤外線の他にも可視光を反射することで遮る機能もある。
【００３５】
第２開閉部材４２のベースパネル４４及び遮蔽層４６には、建物開口部１０８を閉じた状態にするとき、風、音を通過させるための複数の小孔５２が形成される。複数の小孔５２は、赤外線を効果的に遮断しつつ、風、音を通過させることができるように大きさが設定されている。このような大きさとして、複数の小孔５２の断面積は、たとえば、５［ｍｍ２］以下の大きさに設定されている。また、複数の小孔５２は、開口率が３０〜７０［％］の範囲に設定されている。なお、このような大きさに設定することで、第２開閉層１４が建物開口部１０８を全閉状態にしたとき、屋外空間１１２と屋内空間１０２との間の虫の出入りを防止できる。
【００３６】
次に、仕切り装置１０の作用効果を説明する。
図１３（ａ）は第１開閉層１２及び第２開閉層１４が全開状態にあるときを示す図であり、図１３（ｂ）は第１開閉層１２が全閉状態にあり、第２開閉層１４が全開状態にあるときを示す図である。
【００３７】
第１開閉層１２は、第１開閉層１２の開度を連続的に変化させることで、建物開口部１０８において複数の遮蔽対象Ｔ１、Ｔ２を遮る度合いを連続的に調整する。たとえば、第１開閉層１２が全開状態にあるとき、図１３（ａ）に示すように、第１開閉層１２の開度範囲のなかで各遮蔽対象Ｔ１、Ｔ２を遮る度合いが最も小さくなり、各遮蔽対象Ｔ１、Ｔ２（光、音、風、視界等）は建物開口部１０８を通り易くなる。また、図１３（ｂ）に示すように、第１開閉層１２が全閉状態にあるとき、第１開閉層１２の開度範囲のなかで各遮蔽対象Ｔ１、Ｔ２を遮る度合いが最も大きくなり、各遮蔽対象Ｔ１、Ｔ２は建物開口部１０８を通り難くなる。各遮蔽対象Ｔ１、Ｔ２を遮る度合いは、第１開閉層１２の開度が連続的に変化するのに併せて、無段階に調整できる。
【００３８】
図１３（ｃ）は第１開閉層１２が全開状態にあり、第２開閉層１４が全閉状態にあるときを示す図である。
このとき、第１開閉層１２により遮る度合いが調整される複数の遮蔽対象Ｔ１、Ｔ２のうち、所定の第１遮蔽対象Ｔ１（可視光、赤外線）が第２開閉層１４により遮られるとともに、所定の第２遮蔽対象Ｔ２（風、音）を通すことができる。このように、第２開閉層１４は、第１開閉層１２が開いた状態にあるときでも、特定の第１遮蔽対象Ｔ１を遮りつつ、特定の第２遮蔽対象Ｔ２を通すために用いられる。
【００３９】
以上の構成によれば、第１開閉層１２、第２開閉層１４を用いることで、使用者の好み、気分等に応じて、建物開口部１０８における遮蔽対象の通し方を様々に調整でき、遮蔽対象の通し方に高い自由度を持たせることができる。
【００４０】
図１４は第１開閉層１２の開度を変えたときの背面図を示す。本図は図４の視点Ｖｐから見た図でもある。図１４（ａ）は第１開閉層１２の全開状態にあるとき、図１４（ｂ）は半開状態にあるとき、図１４（ｃ）は全閉状態にあるときを示す。
本実施形態に係る仕切り装置１０によれば、第１開閉層１２の開度を連続的に変化させることができる。よって、たとえば、第１開閉層１２の開度を半開状態にして視界を遮るようにした場合（図１４（ｂ）参照）、屋外空間１１２に第三者がいたとき、屋内空間１０２から見て屋外空間１１２の第三者が誰かははっきりとわからないまでも、第三者の気配がわかる状態にすることができる。このため、第１開閉層１２の開度を全開状態にした場合（図１４（ａ）参照）や、全閉状態にした場合（図１４（ｃ）参照）の他に、これらの間の中間状態を使用者が選択できるようになる。
【００４１】
このように、本実施形態の仕切り装置１０によれば、建物１００の屋外空間１１２に対する屋内空間１０２の開き方を様々に調整できるようになる。よって、屋外空間１１２に対して屋内空間１０２を大きく開くことに抵抗がある人でも、その開き方を調整することで、屋外空間１１２に対して屋内空間１０２を開いた状態にし易くできるようになる。
【００４２】
特に、建物開口部１０８は使用者が歩行通過可能な位置に形成され、そのような建物開口部１０８に仕切り装置１０は設置される。よって、第１開閉層１２、第２開閉層１４を開いた状態にしたとき、屋外空間１１２に対して屋内空間１０２を広い範囲で開いた状態にすることができ、広い視界によって高い開放感を使用者に与えることができる。
【００４３】
また、第１開閉層１２は、複数の第１開閉部材１６の間隔を変化させることで連続的に開度を変化させるとともに、複数の第１開閉部材１６が移動することにより建物開口部１０８を使用者が歩行通過可能に開くことができる。よって、第１開閉層１２によって複数の遮蔽対象を遮る度合いを調整しつつも、建物開口部１０８を通して使用者が出入りすることもできるようになり、屋外空間１１２に対して屋内空間１０２を更に開いた状態にし易くできる。
【００４４】
また、第１開閉層１２は第１開閉部材１６が膨張及び収縮することで建物開口部１０８を開閉する。ここで、複数の第１開閉部材１６が膨張することで建物開口部１０８を閉じたとき、複数の第１開閉部材１６の袋体２２の内部には空気による断熱層が設けられることになり、第１開閉層１２により高い断熱効果を得られる。
【００４５】
また、第２開閉層１４は第１遮蔽対象として赤外線を遮るための遮蔽層４６と、風を通すための複数の小孔５２とを有している。よって、第２開閉層１４により赤外線を遮ることで屋外空間１１２に対して屋内空間１０２を断熱しつつ風を通すことができるため、通風しつつ断熱したいという要求に応えることができる。
【００４６】
［第２の実施の形態］
図１５は第２実施形態の仕切り装置１０を示す平面図である。
第１開閉部材１６の屋外側の袋体２２及び屋外保護部材２４Ａは、半透明な素材により構成される半透明部５４となる。半透明部５４となる袋体２２は、袋体２２が膨張することで建物開口部１０８を閉じた状態にするとき、建物開口部１０８を奥行方向Ｚに仕切る。
【００４７】
第１開閉部材１６は支持部材２０の外面に取り付けられる複数の光源５６を備える。光源５６の点灯の有無は制御部１８により制御される。光源５６が点灯すると、光源５６は照明光を半透明部５４に照射する（矢印Ｐａ参照）。光源５６から照射される照明光は半透明部５４を拡散しながら透過する。この結果、半透明部５４は光源５６の照明光により発光することで屋外空間１１２側に光を発するようになる（矢印Ｐｂ参照）。
【００４８】
以上の構成によれば、第１開閉層１２の半透明部５４に壁としての機能の他に照明としての機能を付加できる。特に、仕切り装置１０が屋外空間１１２と屋内空間１０２を仕切る場合、第１開閉層１２の半透明部５４が屋外空間１１２を照らすことで安全な環境を実現できる。
【００４９】
なお、第１開閉部材１６の屋内側の袋体２２及び屋内保護部材２４Ｂは、半透明な素材により構成されてもよいし、遮光するために不透明な素材により構成されてもよい。不透明な素材により構成される場合、光源５６が点灯したとき、屋内側の袋体２２や屋内保護部材２４Ｂが光源５６の照明光を遮光することで屋内空間１０２は照らさず、屋外空間１１２のみを照らせるようになる。
【００５０】
［第３の実施の形態］
図１６（ａ）は第３実施形態の第２開閉部材４２の正面図であり、図１６（ｂ）は第２開閉部材４２の部分側面断面図である。
第１実施形態の第２開閉層１４は、第１遮蔽対象として可視光、赤外線を遮りつつ、第２遮蔽対象として風、音を通す例を説明した。第２実施形態の第２開閉層１４は、第１遮蔽対象として可視光、音を遮りつつ、第２遮蔽対象として風を通す。詳しくは、第２開閉層１４の第２開閉部材４２はベースパネル４４を備える。ベースパネル４４の面材５０はフェルト等の遮音効果又は吸音効果をもつ防音材である。第２開閉部材４２のベースパネル４４には風を通すための複数の小孔５２が形成され、小孔５２にはグラスウール等の遮音効果又は吸音効果をもちつつ通風性をもつ防音材５８が詰め込まれる。
【００５１】
以上の構成により、第２開閉層１４が建物開口部１０８を閉じた状態にあるとき、第２開閉部材４２のベースパネル４４や防音材５８により可視光、音を遮ることができ、かつ、第２開閉部材４２の小孔５２及び防音材５８内に風を通すことができる。これにより、第２開閉層１４は、所定の第１遮蔽対象（可視光、音）を遮えぎりつつ、所定の第２遮蔽対象（風）を通すことができる。
【００５２】
このように第２開閉層１４は、建物開口部１０８を閉じた状態にあるとき、所定の第１遮蔽対象を遮り、所定の第２遮蔽対象を通す機能をもっていればよい。ここでの第１遮蔽対象とは、たとえば、可視光、赤外線、風、音、熱、水滴等である。
【００５３】
たとえば、第２開閉層１４は第１遮蔽対象となる水滴を遮り、第２遮蔽対象となる湿気や水蒸気は通すように構成されてもよい。このように構成するうえでは、第２開閉部材４２を多孔質透湿膜により構成するとともに多孔質透湿膜の表面に撥水層を撥水加工等により設けてもよい。これにより、多孔質透湿膜の形状に応じた孔が撥水層にも形成されることになり、サイズの大きい水滴を撥水層で遮るようにしつつ、湿気や水蒸気を通すことができる。
【００５４】
また、この他にも、第２開閉層１４は、建物開口部１０８を閉じた状態にあるとき、所定の第１遮蔽対象を遮る機能のみをもち、所定の第２遮蔽対象を通す機能がない構成でもよい。
【００５５】
この他にも、第２開閉層１４は光の一部を反射することで遮り、光の更に一部を透過させるためのビームスプリッター層を含んでもよい。これにより、屋外空間１１２の方が屋内空間１０２より明るい環境にある場合、屋外空間１１２からは第２開閉層１４を通して屋内空間１０２が見え難くなり、屋内空間１０２からは第２開閉層１４を通して屋外空間１１２を見え易くすることができる。
【００５６】
また、この他にも、第２開閉層１４は、屋内空間１０２及び屋外空間１１２のうちの一方から他方に向かう第１遮蔽対象は遮り、他方から一方に向かう第１遮蔽対象は通す機能をもっていてもよい。たとえば、第２開閉層１４の屋外空間１１２側の表面に、屋外空間１１２からの音のみを反射して屋内空間１０２からの音は通す層を設けてもよい。
【００５７】
［第４の実施の形態］
図１７は第３実施形態に係る仕切り装置１０の構成図である。
仕切り装置１０は、風の風量を検出するためのセンサ６０を備える。センサ６０は公知の風量センサであり、屋内空間１０２に設置される。
【００５８】
前述の制御部１８は、センサ６０の検出結果に基づいて、第１開閉層１２を動作させることにより第１開閉層１２の開度を調整する。詳しくは、制御部１８は、屋外空間１１２から屋内空間１０２に入り込む風量が過度に大きくならないように、センサ６０による検出値に対して上限となる所定上限値を設定している。制御部１８は、センサ６０により実際に測定される実検出値が所定上限値を上回った場合、第１開閉層１２の回転モータ２８を動作させて複数の第１開閉部材１６を回動させることで、第１開閉層１２の開度を減少させる。これにより、建物開口部１０８を通る風量が減少するように調整する。
【００５９】
以上の構成によれば、建物１００の屋外空間１１２や屋内空間１０２での環境の変化に応じて第１開閉層１２の開度を自動的に制御できるようになる。
【００６０】
なお、制御部１８は、屋外空間１１２から屋内空間１０２に入り込む風量が過度に小さくならないように、センサ６０による検出値に対して下限となる所定下限値を設定してもよい。この場合、制御部１８は、センサ６０の実検出値が所定下限値を下回った場合、第１開閉層１２を動作させることで第１開閉層１２の開度を増加させ、建物開口部１０８を通る風量が増加するように調整してもよい。
【００６１】
また、センサ６０は遮蔽対象に関する物理量として風の風量を検出する例を説明した。この遮蔽対象に関する物理量としては、この他に、音レベル、光量等を検出してもよい。また、センサ６０は屋内空間１０２ではなく屋外空間１１２に設置されてもよいし、第１開閉層１２と第２開閉層１４の間に設置されてもよい。
【００６２】
この例として、センサ６０は屋外空間１１２に設置される光量を検出するための光センサとしてもよい。この場合、制御部１８は、屋外空間１１２が暗くなったとき、防犯の観点から第１開閉層１２を閉じた状態にできるように、センサ６０による検出値に対して下限となる所定下限値を設定している。制御部１８は、センサ６０の実検出値が所定下限値を下回った場合、屋外空間１１２が暗くなったとみなし、第１開閉層１２が閉じた状態になるように開度を減少させる。これにより、屋外空間１１２が暗くなったときに第１開閉層１２が開いた状態のままになることを防止できる。
【００６３】
また、制御部１８は、第１開閉層１２の開度ではなく第２開閉層１４の開度を調整してもよい。この場合、第２開閉層１４は、センサ６０による検出対象となる遮蔽対象を遮る機能をもつことが前提になる。たとえば、第２実施形態に係る第２開閉層１４を用いる場合、制御部１８によって第２開閉層１４の開度を調整することにより、建物開口部１０８を通る音量を調整できる。
【００６４】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００６５】
建物１００は住宅を例に説明したが、これに限られず、商業施設、工業施設、公共施設等の施設でもよい。仕切り装置１０は建物１００の屋外空間１１２と屋内空間１０２を仕切る例を説明したが、建物１００の複数の屋内空間を仕切る間仕切りとして用いられてもよい。また、第１開閉層１２は屋外空間１１２側に配置され、第２開閉層１４は屋内空間１０２側に配置される例を説明したが、第１開閉層１２は屋内空間１０２側に配置され、第２開閉層１４は屋外空間１１２側に配置されてもよい。
【００６６】
第１開閉層１２は、複数の第１開閉部材１６が回動することにより、第１開閉層１２の開度を連続的に変化させる例を説明した。この他にも、複数の第１開閉部材１６が以下のように動作することで、連続的に開度を変化させてもよい。
（Ａ１）複数の第１開閉部材を上下方向Ｘ、左右方向Ｙ、奥行方向Ｚのうちの一方向又は複数方向にスライドさせる。
（Ａ２）複数の第１開閉部材を膨張及び収縮させる。
（Ａ３）複数の第１開閉部材が遮蔽対象の通過領域を拡大縮小させる絞りとして機能し、その通過領域を拡大縮小させる
（Ａ４）複数の第１開閉部材をねじるように回転させることで、隣り合う第１開閉部材の間の間隔を増減させて、建物開口部１０８の開度を連続的に変化させる。
（Ａ５）複数の第１開閉部材を伸縮させることで外径の変化する繊維の束で構成し、繊維束の伸縮に伴う外径の変化を用いて連続的に開度を変化させる。
【００６７】
以上の実施形態、変形例により具体化される発明を一般化すると、以下の技術的思想が導かれる。
【００６８】
前述の課題を解決するための手段に記載の態様の仕切り装置は、前記第１開閉層は複数の第１開閉部材を備え、前記複数の第１開閉部材間の間隔を変化させることで連続的に開度を変化させるとともに、前記複数の第１開閉部材が移動することにより前記開口部を使用者が歩行通過可能に開いてもよい。
この態様によれば、第１開閉層によって複数の遮蔽対象を遮る度合いを調整しつつも、建物の開口部を通して使用者が出入りすることもできるようになり、仕切り装置により仕切られる第１空間に対して第２空間を開いた状態にし易くできる。
【００６９】
前述の態様の仕切り装置は、前記第１開閉層は膨張及び収縮可能な複数の第１開閉部材を備え、前記複数の第１開閉部材が膨張及び収縮することで前記開口部を開閉してもよい。
この態様によれば、複数の第１開閉部材が膨張することで建物の開口部を閉じたとき、複数の第１開閉部材の内部には空気による断熱層が設けられることになり、第１開閉層により高い断熱効果を得られる。
【００７０】
前述の態様の仕切り装置は、前記第１開閉層は、前記開口部を閉じた状態にするとき、前記開口部を奥行方向に仕切る半透明部を有し、前記半透明部を照射する光源を更に備えてもよい。
この態様によれば、光源から照射される照明光が半透明部を拡散しながら透過することで、半透明部を発光させて照明として機能させることができる。よって、第１開閉層の半透明部に壁としての機能の他に照明としての機能を付加できる。
【００７１】
前述の態様の仕切り装置は、前記第２開閉層は、前記複数の遮蔽対象のうちの所定の第２遮蔽対象を通してもよい。
【００７２】
前述の態様の仕切り装置は、前記第２開閉層は、前記第１遮蔽対象として赤外線を遮るための遮蔽層と、風を通すための複数の小孔とを有してもよい。
この態様によれば、第２開閉層により赤外線を遮ることで断熱しつつ風を通すことができるため、通風しつつ断熱したいという要求に応えることができる。
【００７３】
前述の態様の仕切り装置は、前記遮蔽対象の状態量を検出するセンサと、前記センサの検出結果に基づいて前記第１開閉層又は前記第２開閉層により前記開口部の開度を調整する制御部と、を備えてもよい。
この態様によれば、建物の開口部に設置される仕切り装置により仕切られる二つの空間での環境の変化に応じて、建物の開口部の開度を自動的に制御できるようになる。
【００７４】
他の態様の仕切り装置は、建物の開口部に設置される仕切り装置であって、前記開口部を開閉可能な第１開閉層を備え、前記第１開閉層は、膨張及び収縮することで前記開口部を開閉する第１開閉部材を備えることを特徴とする。
【符号の説明】
【００７５】
１０…仕切り装置、１２…第１開閉層、１４…第２開閉層、１６…第１開閉部材、１８…制御部、４６…遮蔽層、５２…小孔、５４…半透明部、５６…光源、６０…センサ、１００…建物、１０８…開口部。
【図１】
2017066704.tif 000003
【図２】
2017066704.tif 000004
【図３】
2017066704.tif 000005
【図４】
2017066704.tif 000006
【図５】
2017066704.tif 000007
【図６】
2017066704.tif 000008
【図７】
2017066704.tif 000009
【図８】
2017066704.tif 000010
【図９】
2017066704.tif 000011
【図１０】
2017066704.tif 000012
【図１１】
2017066704.tif 000013
【図１２】
2017066704.tif 000014
【図１３】
2017066704.tif 000015
【図１４】
2017066704.tif 000016
【図１５】
2017066704.tif 000017
【図１６】
2017066704.tif 000018
【図１７】
2017066704.tif 000019